(57)【要約】【課題】快適な利用環境を提供する。【解決手段】実施形態の電子機器は、通信部と、プロセッサと、を備える。通信部は、ユーザが装着可能な他の電子機器から、他の電子機器にて測定される周囲の照度に関する情報を受信する。プロセッサは、他の電子機器にて測定される周囲の照度に関する情報と、通信部が他の電子機器から受信した信号の強度とを用いて、ディスプレイの明るさを変更する。【選択図】図２
2016021287.tif 000002
【特許請求の範囲】
【請求項１】
ユーザが装着可能な他の電子機器から、前記他の電子機器にて測定される周囲の照度に関する情報を受信する通信部と、
前記他の電子機器にて測定される周囲の照度に関する情報と、前記通信部が前記他の電子機器から受信した信号の強度とを用いて、ディスプレイの明るさを変更するプロセッサと、
を備える電子機器。
【請求項２】
前記プロセッサは、前記通信部が前記他の電子機器から受信した信号の強度が第１閾値よりも小さい信号強度の場合に、前記電子機器の少なくとも一部の機能の実行を制限し、前記第１閾値以上の信号強度の場合に、前記電子機器の少なくとも一部の機能の実行を可能とする制御を行う、
請求項１に記載の電子機器。
【請求項３】
前記プロセッサは、前記他の電子機器にて測定される周囲の照度に関する情報が、第１期間にわたって、前記ディスプレイの明るさの基準となっている照度と比べて、相対的に高い又は低い状態が続いたことを示す場合に、前記プロセッサは、前記ディスプレイの明るさを変更する、
請求項１に記載の電子機器。
【請求項４】
前記通信部は、前記他の電子機器の動きに関する情報を受信し、
前記プロセッサは、さらに、前記他の電子機器の動きに関する情報を用いて、前記ディスプレイの明るさを変更する、
請求項１に記載の電子機器。
【請求項５】
ユーザが装着可能な他の電子機器と通信することが可能な電子機器を制御するための方法であって、
前記他の電子機器から、前記他の電子機器にて測定される周囲の照度に関する情報を受信し、
前記他の電子機器にて測定される周囲の照度に関する情報と、前記通信部が前記他の電子機器から受信した信号の強度とを用いて、ディスプレイの明るさを変更すること、
を含む方法。
【請求項６】
前記他の電子機器から受信した信号の強度が第１閾値よりも小さい信号強度の場合に、前記電子機器の少なくとも一部の機能の実行を制限し、前記第１閾値以上の信号強度の場合に、前記電子機器の少なくとも一部の機能の実行を可能とする制御を行うこと、
をさらに含む請求項５に記載の方法。
【請求項７】
前記他の電子機器にて測定される周囲の照度に関する情報が、第１期間にわたって、前記ディスプレイの明るさの基準となっている照度と比べて、照度が相対的に高い又は低い状態が続いたことを示す場合に、前記プロセッサは、前記ディスプレイの明るさを変更する、
をさらに含む請求項５に記載の方法。
【請求項８】
前記他の電子機器の動きに関する情報を受信し、
前記他の電子機器の動きに関する情報を用いて、前記ディスプレイの明るさを変更する、
をさらに含む請求項５に記載の方法。
【請求項９】
ユーザが装着可能な他の電子機器と通信することが可能な電子機器を制御するためのコンピュータに実行させるプログラムであって、
前記他の電子機器から、前記他の電子機器にて測定される周囲の照度に関する情報を受信し、
前記他の電子機器にて測定される周囲の照度に関する情報と、前記通信部が前記他の電子機器から受信した信号の強度とを用いて、ディスプレイの明るさを変更すること、
を前記コンピュータに実行させるためのプログラム。
【請求項１０】
前記他の電子機器から受信した信号の強度が第１閾値よりも小さい信号強度の場合に、前記電子機器の少なくとも一部の機能の実行を制限し、前記第１閾値以上の信号強度の場合に、前記電子機器の少なくとも一部の機能の実行を可能とする制御を行うこと、
をさらに実行させる請求項９に記載のプログラム。
【請求項１１】
前記他の電子機器にて測定される周囲の照度に関する情報が、第１期間にわたって、前記ディスプレイの明るさの基準となっている照度と比べて、照度が相対的に高い又は低い状態が続いたことを示す場合に、前記プロセッサは、前記ディスプレイの明るさを変更する、
をさらに実行させる請求項９に記載のプログラム。
【請求項１２】
前記他の電子機器の動きに関する情報を受信し、
前記他の電子機器の動きに関する情報を用いて、前記ディスプレイの明るさを変更する、
をさらに実行させる請求項９に記載のプログラム。
【発明の詳細な説明】
【技術分野】
【０００１】
本発明の実施形態は、電子機器、方法、及びプログラムに関する。
【背景技術】
【０００２】
従来、電子機器と、他の電子機器との間で受信した信号に基づいて制御を行う電子機器が知られている。
【先行技術文献】
【特許文献】
【０００３】
【特許文献１】特開２０１１−９７２３４号公報
【発明の概要】
【発明が解決しようとする課題】
【０００４】
しかしながら、従来技術においては、電子機器が、他の電子機器からの信号を受信した場合に、ユーザがいるものとして照明制御を行う技術はあるが、信号強度を考慮した技術はない。
【０００５】
本発明の一形態は、上記に鑑みてなされたものであって、快適な利用環境を提供する電子機器、方法、及びプログラムを提供する。
【課題を解決するための手段】
【０００６】
実施形態の電子機器は、通信部と、プロセッサと、を備える。通信部は、ユーザが装着可能な他の電子機器から、他の電子機器にて測定される周囲の照度に関する情報を受信する。プロセッサは、他の電子機器にて測定される周囲の照度に関する情報と、通信部が他の電子機器から受信した信号の強度とを用いて、ディスプレイの明るさを変更する。
【図面の簡単な説明】
【０００７】
【図１】図１は、実施形態として各機器が利用される環境を例示した図である。
【図２】図２は、実施形態のＰＣと携帯デバイスとのハードウェア構成を例示した図である。
【図３】図３は、実施形態の制御プログラムを実行することで、ＣＰＵ上に実現された各構成を例示した図である。
【図４】図４は、実施形態のＰＣ及び携帯デバイスの関係を例示した図である。
【図５】図５は、実施形態のＰＣにおける、携帯デバイスと通信する際の処理の手順を示すフローチャートである。
【図６】図６は、変形例１のＰＣにおける、携帯デバイスと通信する際の処理の手順を示すフローチャートである。
【図７】図７は、変形例２のタブレット端末における、携帯デバイスと通信する際の処理の手順を示すフローチャートである。
【発明を実施するための形態】
【０００８】
実施形態について説明する。図１は、実施形態として各機器が利用される環境を例示した図である。図１に示される例では、ＰＣ（Ｐｅｒｓｏｎａｌ  Ｃｏｍｐｕｔｅｒ）１００と、携帯デバイス１５０と、部屋に設けられた照明機器１８０を用いて説明する。
【０００９】
ＰＣ１００は、電子機器の一例として用いたものであり、ディスプレイやキーボード用のバックライト（光源）が設けられた電子機器であればよく、他の例としてはタブレット端末や、テレビジョン放送表示装置などが考えられる。
【００１０】
携帯デバイス１５０は、ユーザが装着携帯可能な他の電子機器の一例である。携帯デバイス１５０としては、本実施形態ではユーザが腕や指に装着可能なウェアラブルコンピュータを用いた例について説明するが、ユーザが装着可能な電子機器であればよい。また、ユーザが携帯可能な電子機器でもよい。
【００１１】
ＰＣ１００は、携帯デバイス１５０と無線通信を行うことが可能なように構成されている。ここで用いられる通信方式としては、例えば、Ｂｌｕｅｔｏｏｔｈ（登録商標）が挙げられるが、Ｂｌｕｅｔｏｏｔｈ（登録商標）以外の通信方式が用いられてもよい。
【００１２】
本実施形態の携帯デバイス１５０は、照度センサなどの様々なセンサが内蔵されており、ユーザが存在する外部環境（例えば部屋）の状況を検出可能とする。図１に示す例では、携帯デバイス１５０は、照明機器１８０による部屋の照度を照度センサで検出する。照度センサにより検出された照度は、携帯デバイス１５０で利用される。さらには、携帯デバイス１５０は、無線通信を介して、照度情報を含む信号を、ＰＣ１００に送信する。このようにＰＣ１００は、携帯デバイス１５０にて測定される周囲の照度に関する情報として、照度情報を受信する。これにより、ＰＣ１００は、携帯デバイス１５０の周囲の照度に基づいた制御が可能となる。
【００１３】
図２は、本実施形態のＰＣ１００と携帯デバイス１５０とのハードウェア構成を例示した図である。
【００１４】
図２に例示されるＰＣ１００は、入力部２０１と、通信部２０２と、表示部２０３と、ＲＡＭ２０４と、バックライト用光源２０５と、ＣＰＵ２０６と、ＨＤＤ２０７と、を備える。
【００１５】
入力部２０１は、ユーザからの操作入力を受け付けるために設けられたキーボードやタッチパネルなどの入力インターフェースとする。
【００１６】
通信部２０２は、他の電子機器（例えば、携帯デバイス１５０）との間の通信に用いられる通信インターフェースとする。
【００１７】
表示部２０３は、各種情報を映像として表示するディスプレイとする。本実施形態は、表示部２０３として液晶ディスプレイを用いた例とする。
【００１８】
バックライト用光源２０５は、表示部２０３を背面から照射する光源として構成されている。本実施形態のバックライト用光源２０５は、表示部２０３である液晶ディスプレイの明るさを調整する。本実施形態のバックライト用光源２０５は、入力部２０１であるキーボードを光らせるための光源として用いてもよい。
【００１９】
ＲＡＭ（Ｒａｎｄｏｍ  Ａｃｃｅｓｓ  Ｍｅｍｏｒｙ）２０４は、ＣＰＵ１５による各種演算処理の際に、作業領域として用いられるように構成されている。
【００２０】
ＣＰＵ２０６は、各種コンピュータプログラムを実行することにより、ＰＣ１００の各部を制御するための各種演算処理を行うように構成されている。
【００２１】
ＨＤＤ２０７は、ＣＰＵ２０６で実行されるための各種コンピュータプログラムや、各種データを記憶するように構成されている。例えば、本実施形態のＨＤＤ２０７は、制御プログラム２１０を備えている。
【００２２】
携帯デバイス１５０は、通信部２５１と、ＲＯＭ２５２と、ＣＰＵ２５３と、ＲＡＭ２５４と、加速度センサ２５５と、照度センサ２５６と、その他センサ２５７と、を備える。
【００２３】
通信部２５１は、他の電子機器（例えば、ＰＣ１００）との間の通信に用いられる通信インターフェースとする。
【００２４】
ＲＯＭ２５２は、ＣＰＵ２０６で実行されるための各種コンピュータプログラムや、各種データを記憶するように構成されている。
【００２５】
ＣＰＵ２５３は、各種コンピュータプログラムを実行することにより、携帯デバイス１５０の各部を制御するための各種演算処理を行うように構成されている。
【００２６】
ＲＡＭ２５４は、ＣＰＵ２５３による各種演算処理の際に、作業領域として用いられるように構成されている。
【００２７】
加速度センサ２５５は、携帯デバイス１５０の動きを表す加速度を検出するためのセンサとする。加速度センサ２５５が検出した加速度は、ＣＰＵ２５３に出力される。これにより、ＣＰＵ２５３は、携帯デバイス１５０で生じた加速度を取得できる。
【００２８】
照度センサ２５６は、携帯デバイス１５０にて測定される周囲の照度を検出するためのセンサとする。照度センサ２５６が検出した照度は、ＣＰＵ２５３に出力される。これにより、ＣＰＵ２５３は、携帯デバイス１５０の外部環境の照度を取得できる。
【００２９】
その他センサ２５７は、携帯デバイス１５０に設けられた（加速度センサ２５５、照度センサ２５６以外の）様々なセンサとする。その他センサ２５７の検出結果は、ＣＰＵ２５３に出力される。これにより、ＣＰＵ２５３は、携帯デバイス１５０の現在の状況を取得できる。
【００３０】
本実施形態の携帯デバイス１５０は、当該携帯デバイス１５０を携帯しているユーザの状況に応じて、様々な情報を（例えば図示しないディスプレイ等に）出力する。また、本実施形態の携帯デバイス１５０とＰＣ１００との間は無線通信で様々な情報を送受信可能とする。
【００３１】
本実施形態のＰＣ１００は、携帯デバイス１５０が取得した現在の状況（例えば照度や加速度）を含む信号を受信し、様々な制御を行う。このために、ＰＣ１００の起動時に、ＣＰＵ２０６が制御プログラム２１０を実行する。制御プログラム２１０は、常駐し続けるプログラムであって、携帯デバイス１５０から受信した信号に基づいて様々な制御を行う。
【００３２】
ＰＣ１００のＣＰＵ２０６は、制御プログラム２１０を実行することで、各種構成を実現する。図３は、制御プログラム２１０を実行することで、ＣＰＵ２０６上に実現された各構成を例示した図である。
【００３３】
図３に示されるように、ＣＰＵ２０６は、制御プログラム２１０を実行することで、通信制御部３０１と、判定部３０２と、ロック制御部３０３と、明るさ制御部３０４と、を実現する。
【００３４】
通信制御部３０１は、通信部２０２を用いて、他の電子機器（例えば、携帯デバイス１５０）との間で、信号（情報）の送受信制御を行う。
【００３５】
判定部３０２は、通信制御部３０１が他の電子機器から信号を受信する制御を行った場合に、受信した信号の強度を判定する。
【００３６】
ところで、携帯デバイス１５０等の他の電子機器から受信した信号の強弱を判定する際に、予め設定された閾値より大きいか否かに応じて、信号の強弱を判定しても良いが、他の電子機器毎に送信する信号の強度が異なる場合がある。このような場合を考慮して、本実施形態では、携帯デバイス１５０を装着したユーザがＰＣ１００の入力部２０１を用いた入力操作がされている場合に、通信制御部３０１が、携帯デバイス１５０から受信した信号の強度を取得する。そして、判定部３０２は、取得した信号の強度に基づいて、信号の強弱を判定するために、当該携帯デバイス１５０用の基準値を設定する（以下、設定された基準値を設定値と称す）。
【００３７】
つまり、ＰＣ１００において入力操作がされている場合、ユーザがＰＣ１００の近傍にいるため、通信部２０２が携帯デバイス１５０から受信する信号強度が最も高くなると考えられる。そこで、本実施形態の判定部３０２は、入力操作されている間に取得した信号の強度から、予め定められたレベルを下げた値を設定値とする。なお、設定値は、他の電子機器毎に設定される。
【００３８】
そして、判定部３０２は、携帯デバイス１５０から通信部２０２が受信した信号の信号強度が、設定値よりも高いか否かを判定する。
【００３９】
ロック制御部３０３は、判定部３０２の判定結果に基づいて、ＰＣ１００のロック制御及びアンロック制御を行う。本実施形態のロック制御部３０３は、通信部２０２が他の電子機器から受信した信号の強度が、設定値より小さい信号強度の場合に、ＰＣ１００をロックする制御を行う。また、ロック制御部３０３は、設定値以上の信号強度の場合に、ＰＣ１００をアンロックする制御を行う。なお、本実施形態では、ＰＣ１００全体のロック制御を行う例について説明するが、少なくとも一部の機能の実行を制限すれば良い。同様に、アンロックする制御も、ＰＣ１００全体のアンロック制御に制限するものではなく、少なくとも一部の機能の実行を可能にすれば良い。
【００４０】
明るさ制御部３０４は、判定部３０２の判定結果に基づいて、ＰＣ１００のバックライト用光源２０５の明るさ制御を行う。明るさ制御部３０４は、通信部２０２が携帯デバイス１５０から受信した信号の強度が、設定値より小さい信号強度の場合に、ＰＣ１００のバックライト用光源２０５から最も暗い光を出力する制御又はオフにする制御を行う。また、明るさ制御部３０４は、設定値より大きい信号強度の場合に、ＰＣ１００のバックライト用光源２０５を、設定値より小さい信号強度の時より明るくする制御を行う。
【００４１】
その上で、本実施形態の明るさ制御部３０４は、設定値より大きい信号強度の場合に、換言すればＰＣ１００がアンロックされている場合に、携帯デバイス１５０から送信されてきた照度情報に基づいて、バックライト用光源２０５の明るさを調整する。
【００４２】
また、本実施形態における、照度情報に基づいた明るさの調整の例を説明する。明るさ制御部３０４は、携帯デバイス１５０にて測定される周囲の照度が、バックライト用光源２０５の明るさの基準となっている照度と比べて、相対的に高い又は低い状態が、予め定められた期間にわたって続いたか否かを判定する。なお、相対的に高い又は低い状態とは、例えば、現在測定される周囲の照度が、バックライト用光源２０５の明るさの基準となっている照度と比べて、所定の差分値以上開いている場合などが考えられる。そして、明るさ制御部３０４は、相対的に高い又は低い状態が、予め定められた期間にわたって続いたと判定した場合に、バックライト用光源２０５で、表示部２０３の明るさを変更する。これにより急峻な明るさの変化を抑止できる。
【００４３】
このように、ＰＣ１００のＣＰＵ２０６は、携帯デバイス１５０にて測定される周囲の照度情報と、通信部２５１が携帯デバイス１５０から受信した信号強度、とを用いて、表示部２０３（ディスプレイ）の明るさを変更する。本実施形態では、表示部２０３の明るさを変更するために、明るさ制御部３０４が、バックライト用光源２０５の明るさを調整する。
【００４４】
図４は、本実施形態のＰＣ１００及び携帯デバイス１５０の関係を例示した図である。図４の（ａ）に示されるように、携帯デバイス１５０とＰＣ１００との間の距離４０１が遠い場合、ＰＣ１００が、携帯デバイス１５０から信号を受信した時、判定部３０２が、信号強度が設定値より小さいと判定する。このような場合、ロック制御部３０３は、ＰＣ１００をロックする制御を行う。さらに、明るさ制御部３０４は、バックライト用光源２０５から最も暗い光を出力する制御又はオフにする制御を行う。つまり、信号強度が設定値より小さい場合には、ユーザはＰＣ１００を利用せず、遠くにいるとみなして、ＰＣ１００で上述した制御を行う。これにより、セキュリティの向上と、省電力制御を実現できる。
【００４５】
図４の（ｂ）に示されるように、携帯デバイス１５０とＰＣ１００との間の距離４０２が近い場合、ＰＣ１００が、携帯デバイス１５０から信号を受信した時、判定部３０２が、信号強度が設定値より大きいと判定する。このような場合、ロック制御部３０３は、ＰＣ１００をアンロックする制御を行う。さらに、明るさ制御部３０４は、図４の（ａ）の場合より明るくした上で、携帯デバイス１５０から送信されてきた照度情報に基づいて、バックライト用光源２０５の明るさを調整する。つまり、信号強度が設定値より大きい場合には、ユーザはＰＣ１００を利用するために近傍にいるとみなして、ＰＣ１００で上述した制御を行う。
【００４６】
特に本実施形態の明るさ制御部３０４は、通信制御部３０１が携帯デバイス１５０から受信した照度情報に基づいて、バックライト用光源２０５の明るさを調整することで、ユーザに対して、表示部２０３が表示する画面を適切な明るさで提供できる。
【００４７】
本実施形態のＰＣ１００は、上述した制御を行うことで、ＰＣ１００が照度センサを備えずとも、携帯デバイス１５０の照度センサ２５６が検出した照度情報に基づいて、明るさを調整できる。このため、ＰＣ１００の部品の低減を図るとともに生産コストの低減を図ることができる。
【００４８】
次に、本実施形態のＰＣ１００における、携帯デバイス１５０と通信する際の処理について説明する。図５は、本実施形態のＰＣ１００における上述した処理の手順を示すフローチャートである。
【００４９】
まず、通信制御部３０１が、通信部２０２を介して携帯デバイス１５０から信号を受信したか否かを判定する（ステップＳ５０１）。信号を受信していないと判定した場合（ステップＳ５０１：Ｎｏ）、ロック制御部３０３が、第三者が利用できないように、ＰＣ１００（自装置）のロック制御を行う（ステップＳ５０２）。次に、明るさ制御部３０４が、バックライト用光源２０５によるバックライトの明るさを、アンロック時より暗くする制御（例えば、最も暗くする制御）を行う（ステップＳ５０３）。
【００５０】
一方、通信制御部３０１が、通信部２０２を介して携帯デバイス１５０から信号を受信したと判定した場合（ステップＳ５０１：Ｙｅｓ）、通信制御部３０１は、携帯デバイス１５０からの信号の受信制御を行う（ステップＳ５０４）。受信した信号には、照度センサ２５６による照度情報、加速度センサ２５５による加速度情報、及びその他センサ２５７による検出結果などが含まれている。
【００５１】
そして、判定部３０２が、受信した信号の強度が設定値以上か否かを判定する（ステップＳ５０５）。設定値より小さいと判定した場合（ステップＳ５０５：Ｎｏ）、ロック制御、及びバックライトの明るさをアンロック時より暗くする制御を行う（ステップＳ５０２、Ｓ５０３）。
【００５２】
一方、判定部３０２が、受信した信号の強度が設定値以上と判定した場合（ステップＳ５０５：Ｙｅｓ）、ロック制御部３０３が、近傍にいるユーザが利用できるように、ＰＣ１００（自装置）のアンロック制御を行う（ステップＳ５０６）。
【００５３】
そして、明るさ制御部３０４が、バックライト用光源２０５によるバックライトの明るさを、ロック時より明るくした上で、受信した信号に含まれていた照度情報に基づいて、明るさ制御を行う（ステップＳ５０７）。
【００５４】
また、上述した制御が行われた結果、ＰＣ１００がロック状態になった場合に、表示部２０３の電源を切る、又はＣＰＵ２０６のクロックを落とすなどの、省電力モードに移行しても良い。
【００５５】
（変形例１）
実施形態では、照度情報に基づいて、バックライト用光源２０５によるバックライトの明るさを調整する例について説明した。しかしながら、実施形態は、照度情報に基づいて、バックライト用光源２０５によるバックライトの明るさを調整する手法に制限するものではない。そこで、変形例１では、携帯デバイス１５０の加速度に基づいて、バックライト用光源２０５によるバックライトの明るさを調整する例とする。なお、変形例１のＰＣ１００は、実施形態のＰＣ１００と同様の構成を備えているものとして、説明を省略する。
【００５６】
次に、変形例１のＰＣ１００における、携帯デバイス１５０と通信する際の処理について説明する。図６は、本変形例のＰＣ１００における上述した処理の手順を示すフローチャートである。
【００５７】
図６に示される処理手順においては、図５のステップＳ５０１〜ステップＳ５０７で示した処理のうち、ステップＳ５０７が異なる処理を行う。つまり、判定部３０２が、受信した信号の強度が設定値より大きいと判定し（ステップＳ６０５：Ｙｅｓ）、ロック制御部３０３が、自装置のアンロック制御を行った後（ステップＳ６０６）、明るさ制御部３０４が、バックライト用光源２０５によるバックライトの明るさを、ロック時より明るくした上で、受信した信号に含まれていた加速度情報、及び照度情報に基づいて、明るさ制御を行う（ステップＳ６０７）。
【００５８】
例えば、ユーザがＰＣ１００を入力操作している際、ユーザが装着している携帯デバイス１５０は、当該操作入力に対応して動くことになる。そして、携帯デバイス１５０の加速度センサ２５５は、当該動きに関するパラメータとして、加速度を検出し、加速度情報を信号に含めて、ＰＣ１００に送信する。このようにＰＣ１００は、携帯デバイス１５０の動きに関する情報として、加速度情報を受信する。
【００５９】
ＰＣ１００の明るさ制御部３０４は、加速度情報、及び照度情報に基づいて、バックライト用光源２０５の明るさ制御を行う。つまり、照度情報に基づいたバックライト用光源２０５を調整した上で、ユーザがＰＣ１００の近傍にいて、加速度情報が所定の加速度より大きい場合に、ユーザはＰＣ１００の入力操作を行っているものとして、所定の加速度以下の場合と比べて、さらにバックライト用光源２０５を明るくする制御を行う。これにより、ユーザが入力操作を行っている間、表示部２０３の画面を明るくできる。一方、加速度情報が所定の加速度より小さい場合、ユーザはＰＣ１００の入力操作を行っておらず、表示部２０３の画面を見ている可能性が低いものとして、照度情報に基づいてバックライト用光源２０５を調整した値よりも、表示部２０３の画面を暗くする。
【００６０】
また、本変形例は、加速度情報が所定の加速度より大きい場合に、所定の加速度以下の場合と比べて、バックライト用光源２０５を明るくする制御に制限するものではない。例えば、ユーザがＰＣ１００を携帯しながら移動している場合に、加速度センサ２５５は、当該移動に対応する加速度を検出できる。このような加速度を検出した場合には、暗くする制御を行った方が好ましい。
【００６１】
具体的な処理としては、判定部３０２が、加速度情報が所定の加速度より大きいと判定した場合に、明るさ制御部３０４が、所定の加速度以下の場合と比べて、バックライト用光源２０５を暗くする制御を行う。つまり、ユーザがＰＣ１００を携帯しながら移動する際に、ユーザはＰＣ１００を利用しないものと考えられるため、バックライトを暗くする制御を行う。このような制御は、電子機器がタブレット端末等の場合に特に効果を有する。
【００６２】
本変形例では、照度情報及び加速度情報を組み合わせた結果に基づいて、明るさ調整を行ったが、明るさ制御部３０４は、受信した信号に含まれている加速度情報のみ用いて、明るさ調整を行っても良い。
【００６３】
さらには、ＰＣ１００の表示部２０３が、信号強度の強弱、照度情報、及び加速度情報に基づいた明るさ調整を設定するための設定画面を表示してもよい。この場合、入力部２０１が、設定画面に対する入力操作を受け付ける。その後、明るさ制御部３０４は、入力操作が行われた結果に基づいて、明るさ制御を行う。これにより、ユーザが好みに応じた明るさ制御を実現できる。
【００６４】
（変形例２）
上述した実施形態及び変形例１では、１つの設定値より高いか否かに応じて、明るさ制御を切り替える例について説明した。しかしながら、上述した実施形態及び変形例１は、明るさを制御するための設定値を１つに制限するものではない。そこで、変形例２では、設定値が複数存在する場合について説明する。
【００６５】
なお、本変形例では、電子機器として、タブレット端末を適用した例にについて説明する。タブレット端末の構成は、ＰＣ１００と同様の構成を備えているものとして、各構成の説明を省略する。
【００６６】
電子機器がタブレット端末の場合、ユーザがタブレット端末を手に持って操作する状況の他に、クレードル等に装着して動画等を鑑賞する状況がある。本変形例では、このような状況の違いに応じて、光源の明るさを調整する。例えば、ユーザがタブレット端末を手に持って操作する場合に最も明るくし、クレードル等に装着して動画等を鑑賞する場合に中程度の明るさに調整し、ユーザが離れている場合に最も暗くする制御を行う。
【００６７】
次に、変形例２のタブレット端末における、携帯デバイス１５０と通信する際の処理について説明する。図７は、変形例２のタブレット端末における上述した処理の手順を示すフローチャートである。
【００６８】
まず、通信制御部３０１が、通信部２０２を介して携帯デバイス１５０から信号を受信したか否かを判定する（ステップＳ７０１）。信号を受信していないと判定した場合（ステップＳ７０１：Ｎｏ）、ロック制御部３０３が、第三者が利用できないように、ＰＣ１００（自装置）のロック制御を行う（ステップＳ７０２）。次に、明るさ制御部３０４が、バックライト用光源２０５によるバックライトの明るさを、第１の明るさにする制御（例えば、最も暗くする制御）を行う（ステップＳ７０３）。
【００６９】
一方、通信制御部３０１が、通信部２０２を介して携帯デバイス１５０から信号を受信したと判定した場合（ステップＳ７０１：Ｙｅｓ）、通信制御部３０１は、携帯デバイス１５０からの信号の受信制御を行う（ステップＳ７０４）。
【００７０】
そして、判定部３０２が、受信した信号の強度が第１の設定値以上か否かを判定する（ステップＳ７０５）。第１の設定値より小さいと判定した場合（ステップＳ７０５：Ｎｏ）、ロック制御するとともに、バックライトの明るさを、第１の明るさにする制御を行う（ステップＳ７０２、Ｓ７０３）。つまり、タブレット端末のユーザが付近にいないものとして、ロック制御と省電力制御を行う。
【００７１】
一方、判定部３０２が、受信した信号の強度が第１の設定値以上と判定した場合（ステップＳ７０５：Ｙｅｓ）、次に、判定部３０２が、受信した信号の強度が第２の設定値以上か否かを判定する（Ｓ７０６）。なお、第２の設定値＞第１の設定とする。
【００７２】
そして、判定部３０２は、受信した信号の強度が第２の設定値より小さいと判定した場合（ステップＳ７０６：Ｎｏ）、ロック制御部３０３が、タブレット端末（自装置）のアンロック制御を行う（ステップＳ７０７）。
【００７３】
そして、明るさ制御部３０４が、バックライト用光源２０５によるバックライトの明るさを、第１の明るさより明るい第２の明るさにする制御を行う（ステップＳ７０８）。ステップＳ７０８では、例えば、タブレット端末を動画再生等に適した明るさにする制御が行われる。
【００７４】
一方、判定部３０２は、受信した信号の強度が第２の設定値以上と判定した場合（ステップＳ７０６：Ｙｅｓ）、ロック制御部３０３が、タブレット端末（自装置）のアンロック制御を行う（ステップＳ７０９）。
【００７５】
そして、明るさ制御部３０４が、バックライト用光源２０５によるバックライトの明るさを、第２の明るさより明るい第３の明るさにする制御を行う（ステップＳ７１０）。ステップＳ７０８では、例えば、タブレット端末の操作に適した明るさにする制御が行われる。
【００７６】
本変形例は、設定値が２つある場合について説明したが、設定値を２つに制限するものではなく、３つ以上存在しても良い。
【００７７】
本変形例では、タブレット端末において、ユーザとの間の距離に応じて明るさを調整する例について説明した。しかしながら、このような明るさの調整をタブレット端末に制限するものではない。例えば、ＰＣに適用しても良いし、テレビジョン放送表示装置に適用しても良い。
【００７８】
テレビジョン放送表示装置に適用した場合に、ユーザが装着している携帯デバイスから送信される信号強度に基づいて、バックライトの明るさ制御を行う。例えば、携帯デバイスからの信号が第１の設定値以下の場合に、ユーザが視聴していないものとみなして、最も暗くする（第１の明るさ）制御を行う。また、携帯デバイスからの信号が第１の設定値より大きく、第２設定値より小さい場合に、ユーザが遠くから視聴していると考えて、最も明るくする（第２の明るさ）制御を行う。また、携帯デバイスからの信号が第２の設定値より大きい場合に、ユーザが近くで視聴していると考えて、明るさを弱めにする（第３の明るさ）制御を行う。なお、第２の明るさ＞第３の明るさ＞第１の明るさとなる。
【００７９】
上述した実施形態及び変形例においては、信号強度に基づいて、明るさ制御を行うことで、ユーザの状況に応じた画面表示を実現している。これにより、ユーザに対して、快適な利用環境を提供できる。
【００８０】
例えば、ＰＣ１００等の電子機器のアンロック時は外部環境の照度に合わせて、明るさの自動調整が可能なため、ユーザは調整等を行わずとも画面が見やすくなる。
【００８１】
その際に、ＰＣ１００の電子機器は、他の電子機器と通信するための通信部を備えていれば、各種センサの結果を取得できる。そして、電子機器は、各種センサの結果に基づいて明るさを調整できる。このため、センサ等を備えるための生産コストを低減できる。
【００８２】
さらには、携帯デバイス１５０が腕や指に装着された場合、ＰＣ１００等にセンサを設けた場合よりも、携帯デバイス１５０の方が、より適切にユーザの現在の状況を取得できる。このような携帯デバイス１５０からの情報に基づいて、光源の明るさを制御すると、よりユーザの環境に適した明るさ調整を実現できる。
【００８３】
本発明の実施形態及び変形例を説明したが、これらの実施形態及び変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１００…ＰＣ、１５０…携帯デバイス、１８０…照明機器、２０１…入力部、２０２…通信部、２０３…表示部、２０４…ＲＡＭ、２０５…バックライト用光源、２０６…ＣＰＵ、２０７…ＨＤＤ、２１０…制御プログラム、２５１…通信部、２５２…ＲＯＭ、２５３…ＣＰＵ、２５４…ＲＡＭ、２５５…加速度センサ、２５６…照度センサ、２５７…その他センサ、３０１…通信制御部、３０２…判定部、３０３…ロック制御部、３０４…明るさ制御部。
【図１】
2016021287.tif 000003
【図２】
2016021287.tif 000004
【図３】
2016021287.tif 000005
【図４】
2016021287.tif 000006
【図５】
2016021287.tif 000007
【図６】
2016021287.tif 000008
【図７】
2016021287.tif 000009